(57)【要約】【課題】椅子等に座って使用し易く、かつ見栄えの良いキャビネットを提供する。【解決手段】キャビネット本体１０と、キャビネット本体１０の上面に設けられた洗面器４０とを備えている。キャビネット本体１０の前面上部に固定幕板５０と幕板５１が設けられている。幕板５１は、固定幕板５０に対して上端を中心に垂直状態から奥側に回動可能にされ、一定の回動角で保持可能である。【選択図】図５
2008099868.tif 000002
【特許請求の範囲】
【請求項１】
キャビネット本体と、該キャビネット本体の上面に設けられた洗面器、手洗器及びシンクの少なくとも１種からなる水槽とを備えているキャビネットにおいて、
前記キャビネット本体の前面上部に幕板が設けられ、該幕板は、上端を中心に垂直状態から奥側に回動可能にされ、かつ一定の回動角で保持可能であることを特徴とするキャビネット。
【請求項２】
前記キャビネット本体は前記幕板の上方に固定幕板を有し、該幕板は該固定幕板に対して回動可能に取り付けられている請求項１記載のキャビネット。
【請求項３】
前記キャビネット本体に対し、前記幕板の下方で水平に引出し可能であり、上方が開口した収納部と、
該収納部が最も前方に引き出される引き出し位置と、該収納部の前端が該キャビネット本体の前端よりも後方に位置し、該キャビネット本体の内部で該収納部の前方に空間が形成されるように、該収納部が最も後方に押し込まれる押し込み位置と、該引き出し位置と該押し込み位置との間の任意の中間位置とに、該収納部を該キャビネット本体に対して案内しつつ、該キャビネット本体に対する該収納部の位置を規制する規制手段とを備えている請求項１又は２記載のキャビネット。
【請求項４】
前記中間位置より後方に前記収納部を押し込むことができないようにするロック機構を備えている請求項３記載のキャビネット。
【請求項５】
前記中間位置は前記収納部の前端が前記幕板の前面と面一となる位置である請求項３又は４記載のキャビネット。
【発明の詳細な説明】
【技術分野】
【０００１】
本発明はキャビネットに関する。
【背景技術】
【０００２】
特許文献１の図４に従来のキャビネットが開示されている。このキャビネットは、下方に収納空間をもつカウンターと、カウンターの横方向に延びるようにカウンターの前部下面に設けられたレールと、レールに上端を連結された上部前面扉と、上部前面扉の下端にヒンジ体で連結された下部前面扉とを備えている。上部前面扉の上端はレールにスライド自在かつ前後に回動自在に連結され、下部前面扉の上端は上部前面扉の下端に回動自在に連結されている。
【０００３】
このような構成である従来のキャビネットでは、使用者が椅子等に座ってキャビネットを使用するにとき、膝で下部前面扉を前に押すと、上部前面扉が回動し、下部前面扉が収納空間の奥側へ移動する。このため、キャビネットの使用者は、膝を収納空間内に入り込ませ、カウンターに近づいて作業をすることができる。
【０００４】
【特許文献１】実開平６−５５４４１号公報
【発明の開示】
【発明が解決しようとする課題】
【０００５】
しかし、上記従来のキャビネットでは、椅子等に座って使用する者が常に膝で下部前面扉を押していなければならず、キャビネットを長時間使用すると膝が下部前面扉に圧迫され続けて不快であった。また、使用者が膝を前後させるとそれにつれて下部前面扉も前後に移動し、膝が下部前面扉にすれたりしていた。このため、このキャビネットは使用しづらいものであった。
【０００６】
また、上記従来のキャビネットは、そのカウンターの上面に洗面器等の水槽を備えた場合、収納空間内に物を収納しようとする等の際に、上部前面扉及び下部前面扉をスライドさせることにより、水槽の下面が前方から丸見えとなり、見栄えがよくなかった。
【０００７】
本発明は、上記従来の実情に鑑みてなされたものであって、椅子等に座って使用し易く、かつ見栄えの良いキャビネットを提供することを解決すべき課題としている。
【課題を解決するための手段】
【０００８】
本発明のキャビネットは、キャビネット本体と、該キャビネット本体の上面に設けられた洗面器、手洗器及びシンクの少なくとも１種からなる水槽とを備えているキャビネットにおいて、
前記キャビネット本体の前面上部に幕板が設けられ、該幕板は、上端を中心に垂直状態から奥側に回動可能にされ、かつ一定の回動角で保持可能であることを特徴とする。
【０００９】
このような構成である本発明のキャビネットは、幕板を奥側に一定の回動角まで回動させて保持すれば、キャビネット本体の前方に大きな開口が形成される。このため、椅子等に座ってキャビネットを使用する者は、キャビネット本体内に足をスムーズに出し入れすることができる。また、常態時には、幕板が垂直状態に垂下されているので、水槽の下面がキャビネット本体の前方から見えづらくなっている。
【００１０】
したがって、本発明のキャビネットは、椅子等に座って使用し易く、かつ見栄えの良いものである。
【００１１】
本発明のキャビネットにおいて、キャビネット本体は幕板の上方に固定幕板を有し、幕板は固定幕板に対して回動可能に取り付けられていることが好ましい。
【００１２】
この場合、幕板を奥側に一定の回動角まで回動させて保持した状態でも、キャビネット本体の前面上部には固定幕板が垂直状態に固定されているので、キャビネット本体の前方から水槽の下面が見えづらくなる。このため、キャビネットの見栄えを良いものにすることができる。
【００１３】
本発明のキャビネットにおいて、キャビネット本体に対し、幕板の下方で水平に引出し可能であり、上方が開口した収納部と、
収納部が最も前方に引き出される引き出し位置と、収納部の前端がキャビネット本体の前端よりも後方に位置し、キャビネット本体の内部で収納部の前方に空間が形成されるように、収納部が最も後方に押し込まれる押し込み位置と、引き出し位置と押し込み位置との間の任意の中間位置とに、収納部をキャビネット本体に対して案内しつつ、キャビネット本体に対する収納部の位置を規制する規制手段とを備えていることが好ましい。
【００１４】
この場合、椅子等に座ってキャビネットを使用する際、収納部を「押し込み位置」まで押し込むことができ、この状態で幕板を一定の回動角まで回動させて保持する。このようにすれば、キャビネット本体の内部に足を入れる空間（ニースペース）を形成することができ、形成されたニースペースへの足の出し入れをスムーズに行うことができる。また、椅子等に座らずにキャビネットを使用する場合には、収納部を「中間位置」と「引き出し位置」との間のみで往復移動させて使用することができる。
【００１５】
本発明のキャビネットにおいて、中間位置より後方に収納部を押し込むことができないようにするロック機構を備えていることが好ましい。
【００１６】
この場合、使用者が椅子等に座らずに使用するとき、収納部を「中間位置」と「引き出し位置」との間のみで往復移動させて使用するため、ロック機構により、収納部を「中間位置」より後方に押し込むことができないようにロックすることができる。この状態では、使用者の意志に反して収納部が「中間位置」より後方に押し込まれてしまうことを防止することができる。また、ロック機構を解除すれば、収納部を「押し込み位置」まで押し込むことができ、椅子等に座ってキャビネットを使用する人の膝が十分に入る程度のニースペースを容易に形成することができる。
【００１７】
ロック機構は、前記収納部が前記中間位置より前方に引き出された状態で切換操作可能であることができる。
【００１８】
この場合、使用者は、切換操作をした後、収納部を後方に押し込めば、収納部が「中間位置」より後方に移動可能か否かを実際に確認することができ、確実にロック機構の切換を行なえるとともに、無駄な操作をしないですむ。
【００１９】
本発明のキャビネットにおいて、中間位置は収納部の前端が幕板の前面と面一となる位置であることが好ましい。
【００２０】
この場合、「中間位置」において、収納部とキャビネット本体との一体感が得られ、外観がすっきりする。幕板の表面材と収納部の表面材とを同じ素材のものにすれば、収納部とキャビネットとの一体感がさらに増して、外観がよりすっきりとしたものとなる。
【発明を実施するための最良の形態】
【００２１】
以下、本発明を具体化した実施例を図面を参照しつつ説明する。
【００２２】
図１に示すように、実施例のキャビネットは、キャビネット本体１０の上方に収納付鏡２０及び照明２１を備えた洗面化粧台に適用されるものである。キャビネット本体１０の上面には、水栓装置３０が取り付けられたカウンター一体型の洗面器４０が設けられている。
【００２３】
図２〜図７に示すように、実施例のキャビネットは、キャビネット本体１０と、キャビネット本体１０に対して水平に引き出し可能であり、上方が開口した収納部１００とを備えている。
【００２４】
キャビネット本体１０は、前面上部に固定される固定幕板５０、収納部１００の引き出し方向の左右両面に固定されるキャビネット側板１１及び後面に固定される背板１２を有している。
【００２５】
固定幕板５０の下方には、幕板用ヒンジ５２を介して、垂直状態と水平状態との間で回動可能な回動幕板５１が設けられている。幕板用ヒンジ５２は、９０度の角度を保持する機能を有している。このため、図５、図６に示すように、回動幕板５１は、垂直状態から奥側に回動させて水平状態に保持可能である。固定幕板５０及び回動幕板５１の表面は、同じ素材の表面材で形成されている。
【００２６】
左右のキャビネット側板１１の奥側内面には、収納部１００の引き出し方向に延びる第１レール１１０が２本、上下に間隔を空けて取り付けられている。各第１レール１１０は、図６に示すように、収納部１００が「押し込み位置」に位置した際に、前面板１０１の前面位置を越えない長さである。各第１レール１１０には、第２レール１２０がスライド自在に取り付けられている。第２レール１２０は第１レール１１０と略同じ長さである。上下２本の第２レール１２０に跨って、平板状の中間部材１４０がスライド自在に取り付けられている。中間部材１４０の外側面には、第２レールに係合して中間部材１４０をスライド自在に案内する第１案内部材１４１が設けられている。中間部材１４０のスライド方向の長さは、第１レール１１０及び第２レール１２０よりも若干長い。中間部材１４０の内面には、第３レール１３０が取り付けられている。第３レールは中間部材１４０のスライド方向の長さよりも短い長さである。左右で対をなす第３レール１３０には、収納部１００がスライド自在に取り付けられている。収納部の左右外側面には、第３レールに係合して収納部１００をスライド自在に案内する第２案内部材１０２が設けられている。収納部１００のスライド方向の長さは、中間部材１４０と略同じ長さである。このように、キャビネット本体１０と収納部１００との間には、第１レール１１０、第２レール１２０、中間部材１４０及び第３レール１３０からなり、収納部１１０をキャビネット本体１０に対して案内可能な規制手段が設けられている。
【００２７】
収納部１００は、底部の手前側に固定される前部板１０３と、前部板１０３の後方に位置する後部板１０４とを有している。後部板１０４は、前部板１０３との接続部分に底板用ヒンジ１０５を介して水平状態と垂直状態との間を回動可能である。後部板１０４は、前部板１０３の反対側の端部に仕切り板１０６を有している。後部板１０４の左右両側内面の２箇所には、鉄片１０９が取り付けられている。
【００２８】
また、収納部１００は、前面に固定される前面板１０１と左右側面に固定される収納側板１０７とを有している。前面板１０１の表面は、固定幕板５０及び回動幕板５１の表面と同じ素材の表面材で形成されている。左右の収納側板１０７の奥行きは、前部板１０３の後方に、後部板１０４を水平状態に位置させたときの前面板１０１の後面から仕切り板１０６の後面までの長さよりも長い。左右の収納側板１０７の内面には、磁石内蔵ストッパー１０８が取り付けられている。磁石内蔵ストッパー１０８は、後部板１０４が回動され、垂直状態に位置したときに、後部板１０４に取り付けられた鉄片１０９を磁着する位置に取り付けられている。
【００２９】
左右の中間部材１４０は、下方で両中間部材１４０に渡し掛けられた渡し板１４２を有する。渡し板１４２は、上面の左右２箇所に当り止め部１４３が設けられている。当り止め部１４３は、後部板１０４が水平状態に位置したときに、当り止め部１４３の前面と仕切り板１０６の後面とが当接する位置に取り付けられている。
【００３０】
水栓装置３０は、床から立ち上がり、止水栓３１ｓを有する給水管３１及び止水栓３２ｓを有する給湯管３２に接続されている。洗面器４０の排水口４１は、床から立ち上がり排水トラップ４２を有する排水管４３に接続されている。給水管３１、給湯管３２及び排水管４３は、キャビネット本体１０の後方内部で上下方向に挿通されている。
【００３１】
実施例のキャビネットは、図２に示すように、第２レール１２０は第１レール１１０に案内されて前方にスライドし、中間部材１４０は第２レール１２０に案内されて前方にスライドし、収納部１００は第３レールに案内されて前方にスライドする。この状態で収納部１００が最も前方に引き出される「引き出し位置」となる。
【００３２】
収納部１００を「引き出し位置」にして、後部板１０４を水平状態にすると、仕切り板１０６の後面が当り止め部１４３の前面に当接する。これにより、収納部１００は中間部材１４０に対してそれ以上の後方への移動は不能となる。この状態で、収納部１００を後方へ押し込むと、収納部１００と中間部材１４０とが一体になって後方に移動する。図３に示すように、中間部材１４０の後端が背板１２の前面に当接すると、中間部材１４０及び収納部１００はそれ以上後方へ移動不能な「中間位置」となる。「中間位置」より後方に収納部１００を押し込むことができないようにするロック機構は、仕切り板１０６を有する後部板１０４及び当り止め部１４３である。収納部の「中間位置」では、前面板１０１、固定幕板５０及び回動幕板５１の前面が面一である。
【００３３】
後部板１０４が水平状態に位置しているときは、後部板１０４上にも収納物を載置できる。後部板１０４上に載置された収納物が後方に転落するのを防止するため、仕切り板１０６が後部板１０４の後方で上方に延びている。
【００３４】
図５に示すように、収納部１００を「引き出し位置」にして、後部板１０４を垂直状態にすると、鉄片１０９が磁石内蔵ストッパー１０８に磁着されて、後部板１０４は垂直状態で保持される。このため、仕切り板１０６の後面が当り止め部１４３に当接しなくなるので、収納部１００は中間部材１４０に対して後方への移動が可能となる。この状態で、収納部１００を後方へ押し込むと、図６に示すように中間部材１４０は後端が背板１２の前面に当接するまで後方にスライドし、収納部１００は収納側板１０７の後端が背板１２の前面に当接するまで後方にスライドする。この状態で収納部１００が最も後方に押し込まれる「押し込み位置」となる。
【００３５】
図６及び図７に示すように、後部板１０４が垂直状態に保持されると、収納部１００の後方に、後部板１０４の後面及び左右の収納側板１０７の後部内面に囲まれた退避空間が形成される。この退避空間は、収納部１００が「押し込み位置」に位置する際に、給水管３１、給湯管３２及び排水管４３を挿通する。
【００３６】
回動幕板５１は、キャビネットの使用者が、収納部１００を「中間位置」と「引き出し位置」との間のみで往復移動させてキャビネットを使用する際には、垂直状態に位置させる。また、キャビネットの使用者が、ニースペースを形成するために収納部１００を「押し込み位置」に位置させてキャビネットを使用する際には、回動幕板５１は後方に回動して水平状態に保持させる。
【００３７】
このような構成である実施例のキャビネットにおいて、回動幕板５１を奥側に水平状態まで回動させて保持すれば、キャビネット本体１０の前方に大きな開口が形成される。このため、椅子等に座ってキャビネットを使用する者は、キャビネット本体１０内に足をスムーズに出し入れすることができる。また、常態時には、回動幕板５１が垂直状態に垂下されている。このため、洗面器４０の下面がキャビネット本体１０の前方から見えづらくなっている。
【００３８】
したがって、実施例のキャビネットは、椅子等に座って使用し易く、かつ見栄えの良いものである。
【００３９】
また、固定幕板５０がキャビネット本体１０の前面上部に固定されているので、回動幕板５１を水平状態に保持した場合でも、キャビネット本体１０の前方からは洗面器４０の下面が見えづらくなっている。
【００４０】
また、キャビネット本体１０に対し、可動幕板５１の下方で「引き出し位置」と「押し込み位置」と「中間位置」とに、第１レール１１０等の規制手段により案内される収納部を備えている。収納部１００を「押し込み位置」に押し込み、回動幕板５１を水平状態に回動させて保持すれば、足の出し入れがスムーズに行えるニースペースを形成することができる。また、椅子等に座らずにキャビネットを使用する場合には、収納部１００を「中間位置」と「引き出し位置」との間のみで往復移動させて使用することができる。
【００４１】
また、使用者が椅子等に座らずに使用するとき、収納部１００を「中間位置」と「引き出し位置」との間のみで往復移動させて使用するため、ロック機構により、収納部１００を「中間位置」より後方に押し込むことができないようにすることができる。この状態では、使用者の意志に反して収納部１００が「中間位置」より後方に押し込まれてしまうことを防止することができる。また、ロック機構を解除すれば、収納部１００を「押し込み位置」まで押し込むことができ、椅子等に座ってキャビネットを使用する人の膝が十分に入る程度のニースペースを容易に形成することができる。
【００４２】
また、収納部１０を「引き出し位置」にして、後部板１０４を回動させてロック機構の切替え操作が行なえるので、使用者は、切換操作をした後、収納部１００を後方に押し込めば、収納部１００が「中間位置」より後方に移動可能か否かを実際に確認することができ、確実にロック機構の切換を行なえるとともに、無駄な操作をしないで済む。
【００４３】
また、収納部１００の「中間位置」は、前面板１０１、固定幕板５０及び回動幕板５１の前面と面一になる位置とされ、それらの表面材は同じ素材で形成されている。このため、収納部１００とキャビネット本体１０との一体感が得られて外観がすっきりとしたものになっている。
【００４４】
また、収納部１００を押し込み位置に位置させてニースペースを形成する際、第１レール等の規制手段が収納部１００より後方に位置するため、外部に露出せず、キャビネット側板１１の内面に凹凸が生じない。このため、使用者の足が引っかかることがなく、足の出し入れがスムーズに行うことができる。また、第１レール等の規制手段が露出していないので、すっきりとした外観となっている。
【００４５】
また、収納部１００は、「引き出し位置」において、収納部１００の上方開口をキャビネット本体１０の前方に露出するように引き出すことができ、収納部１００への物の出し入れを容易に行うことができる。
【００４６】
また、収納部１００を「押し込み位置」に位置させてニースペースを形成する際、第１レール１１０等の規制手段が収納部１００の前面板１０１より後方に位置するため、第１レール１１０等の規制手段が露出せず、ニースペースの内面に凹凸が生じない。このため、使用者の足が引っかかることがなく、足の出し入れがスムーズに行うことができる。また、この際、第１レール等の規制手段が露出していないので、すっきりとした外観となっている。
【００４７】
また、収納部１００は第１レール１１０等の規制手段を介して案内されているため、収納部１００がしっかりと取り付けられ、収納部１００を引き出したり、押し込んだりする操作をスムーズに行うことができる。
【００４８】
また、後部板１０４を水平状態及び垂直状態に回動操作するのみで容易にロック機構を切り替えることができる。さらに、後部板１０４を水平状態に位置させると、前部板１０３及び後部板１０４に物を載置することができるので、多くの物を収納することが可能となる。
【００４９】
また、後部板１０４を垂直状態にして、収納部１００を「押し込み位置」まで押し込むと、収納部１００の後方に形成される退避空間に湯水供給管３１、３２及び排水管４３が挿通され、収納部１００の前面板１０１をキャビネット本体１０の奥側に位置させることができ、広いニースペースを確保することができる。
【００５０】
また、後部板１０４は、磁石内蔵ストッパー１０８によって、容易に垂直状態に保持される。特に、収納部１００を引き出したり、押し込んだりしても、後部板１０４の垂直状態を維持することができる。
【産業上の利用可能性】
【００５１】
本発明は洗面、手洗又はキッチン用のキャビネットに利用可能である。
【図面の簡単な説明】
【００５２】
【図１】実施例の洗面化粧台の一部切欠き正面図である。
【図２】実施例の収納部がロック状態で引き出し位置に位置する側面断面図である。
【図３】実施例の収納部がロック状態で中間位置に位置する側面断面図である。
【図４】実施例の収納部がロック状態で中間位置に位置する平面断面図である。
【図５】実施例の収納部がロック解除状態で引き出し位置に位置する側面断面図である。
【図６】実施例の収納部がロック解除状態で押し込み位置に位置する側面断面図である。
【図７】実施例の洗面化粧台の側面断面図である。
【符号の説明】
【００５３】
１０…キャビネット本体
２０…収納付鏡
３０…水栓装置
４０…（カウンター一体型の）洗面器
５０…固定幕板
５１…回動幕板
１００…収納部
１０１…前面板
１０３…前部板
１０４…後部板
１０７…収納側板
１０８…磁石内蔵ストッパー
１１０…第１レール
１２０…第２レール
１３０…第３レール
１４０…中間部材
１４２…渡し板
１４３…当り止め部
【図１】
2008099868.tif 000003
【図２】
2008099868.tif 000004
【図３】
2008099868.tif 000005
【図４】
2008099868.tif 000006
【図５】
2008099868.tif 000007
【図６】
2008099868.tif 000008
【図７】
2008099868.tif 000009